(57)【要約】【課題】光学部品が少ない部品点数で精度良く配置されたプロジェクターを提供する。【解決手段】プロジェクターは、光束の光軸方向、および光軸方向に対して直交する２方向に第２レンズアレイ３２２を位置決めする基準面を有する光学部品用筐体６と、一体的に形成され、光軸方向、および光軸方向に対して直交する２方向に第２レンズアレイ３２２を付勢して第２レンズアレイ３２２を基準面に位置付ける付勢部材７と、を備え、付勢部材７は、第２レンズアレイ３２２の一方の端部側に配置されている。【選択図】図２
2011123232.tif 000002
【特許請求の範囲】
【請求項１】
光源、および前記光源から射出された光束の光路上に配置される光学部品を有し、前記光束を画像情報に応じて変調して画像光を形成し、前記画像光を投写するプロジェクターであって、
前記光束の光軸方向、および前記光軸方向に対して直交する２方向に前記光学部品を位置決めする基準面を有する光学部品用筐体と、
一体的に形成され、前記光軸方向、および前記２方向に前記光学部品を付勢して前記光学部品を前記基準面に位置付ける付勢部材と、
を備え、
前記付勢部材は、前記光学部品の一方の端部側に配置されていることを特徴とするプロジェクター。
【請求項２】
請求項１に記載のプロジェクターであって、
前記付勢部材は、前記光学部品用筐体に当接する第１当接部、前記一方の端部に当接する第２当接部、および前記端部と交差する交差端部に当接する第３当接部を有し、前記光学部品用筐体および前記光学部品に当接することで弾性変形する板バネ状に形成されていることを特徴とするプロジェクター。
【請求項３】
請求項１または請求項２に記載のプロジェクターであって、
前記付勢部材は、前記光学部品を付勢することに伴う前記光学部品からの反力に抗して前記光学部品用筐体に係止される係止部を有していることを特徴とするプロジェクター。
【請求項４】
請求項１〜請求項３のいずれか一項に記載のプロジェクターであって、
前記光学部品用筐体は、前記基準面が形成された支持溝を備え、前記支持溝は、前記光学部品の前記一方の端部に対向する他方の端部を前記基準面で支持することを特徴とするプロジェクター。
【発明の詳細な説明】
【技術分野】
【０００１】
本発明は、画像光を投写するプロジェクターに関する。
【背景技術】
【０００２】
従来、光源から射出された光束を画像情報に応じて変調して画像光を形成し、この画像光を投写するプロジェクターが知られている。プロジェクターは、企業内でのプレゼンテーションや、家庭内での映画鑑賞等の種々の用途に用いられている。そして、投写される画像光の画質を向上させるために、プロジェクター内部に備えられた光学部品を精度良く配置する技術が提案されている（例えば、特許文献１参照）。
【０００３】
特許文献１に記載のプロジェクターは、第１および第２レンズアレイ等の光学部品、光学部品用筐体（ライトガイド）、および付勢部材を備えている。第１および第２レンズアレイは、光源から射出された光束を略均一な光束に調整するために設けられている。光学部品用筐体には、第１および第２レンズアレイをそれぞれ位置決めする基準面が設けられている。基準面は、光束の光軸方向、および光軸方向に対して直交する２方向の計３方向に設けられている。付勢部材は、板バネ形状を有して形成され、第１および第２レンズアレイをそれぞれ基準面に位置付けるために、第１および第２レンズアレイに対してそれぞれ３個、計６個設けられている。そして、第１および第２レンズアレイは、付勢部材によって３方向にそれぞれ付勢されて基準面に位置決めされる。
【先行技術文献】
【特許文献】
【０００４】
【特許文献１】特開２００３−２８７８１４号公報
【発明の概要】
【発明が解決しようとする課題】
【０００５】
しかしながら、特許文献１に記載の技術は、１つの光学部品に対して付勢部材が３つ配置されるという構成で、部品点数が多く、製造工程が煩雑になるという課題がある。また、複数の付勢部材をそれぞれ位置するスペースが必要になるため、光学系の小型化が難しいという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源、および前記光源から射出された光束の光路上に配置される光学部品を有し、前記光束を画像情報に応じて変調して画像光を形成し、前記画像光を投写するプロジェクターであって、前記光束の光軸方向、および前記光軸方向に対して直交する２方向に前記光学部品を位置決めする基準面を有する光学部品用筐体と、一体的に形成され、前記光軸方向、および前記２方向に前記光学部品を付勢して前記光学部品を前記基準面に位置付ける付勢部材と、を備え、前記付勢部材は、前記光学部品の一方の端部側に配置されていることを特徴とする。
【０００８】
この構成によれば、光学部品は、一体的に形成された付勢部材によって光軸方向、および光軸方向に対して直交する２方向の計３方向に付勢されて光学部品用筐体の基準面に位置決めされる。よって、少ない部品点数で光学部品を光軸に対して精度良く配置することが可能となるので、製造工程の簡素化を図りつつ、良好な画質の画像光を投写するプロジェクターを提供することが可能となる。また、付勢部材は、光学部品の一方の端部側に配置されているので、一方の端部側および他方の端部側に配置される形状に比べ、小さなサイズでの形成が可能となる。これによって、付勢部材を形成する部材の省資源化、低コスト化やプロジェクターの軽量化が図れる。また、付勢部材を配置するスペースを小さく形成できるので、光学系の小型化ひいてはプロジェクターの小型化が図れる。
【０００９】
［適用例２］上記適用例に係るプロジェクターにおいて、前記付勢部材は、前記光学部品用筐体に当接する第１当接部、前記一方の端部に当接する第２当接部、および前記端部と交差する交差端部に当接する第３当接部を有し、前記光学部品用筐体および前記光学部品に当接することで弾性変形する板バネ状に形成されていることを特徴とする。
【００１０】
この構成によれば、付勢部材は、板バネ状に形成され、第１当接部が光学部品用筐体に当接し、第２当接部および第３当接部が光学部品の互いに交差する端部に当接することで弾性変形する。これによって、第２当接部を光軸方向および光軸に直交する１方向に力が加わるように当接させ、第３当接部を光軸方向に直交する他の方向に力が加わるように当接させることが可能となる。よって、付勢部材は、光学部品を光軸方向および光軸方向に直交する２方向に付勢することが可能となる。また、付勢部材は、板バネ状になっているので、プレス加工や曲げ加工によって容易に形成することができ、低コスト化が図れる。
【００１１】
［適用例３］上記適用例に係るプロジェクターにおいて、前記付勢部材は、前記光学部品を付勢することに伴う前記光学部品からの反力に抗して前記光学部品用筐体に係止される係止部を有していることが好ましい。
【００１２】
この構成によれば、付勢部材は、光学部品からの反力に抗して係止部が光学部品用筐体に係止される。これによって、付勢部材は、光学部品を付勢する状態を維持し、光学部品と共に光学部品用筐体に固定されることとなる。よって、他の部材を用いることなく、光学部品および付勢部材を光学部品用筐体に固定できるので、さらに少ない部品点数で光学部品を位置決めする構成が可能となる。また、付勢部材および光学部品用筐体以外の他の構成要素に付勢部材を固定するための機能や形状を盛り込むことが不要となるので、設計自由度の向上が図れる。
【００１３】
［適用例４］上記適用例に係るプロジェクターにおいて、前記光学部品用筐体は、前記基準面が形成された支持溝を備え、前記支持溝は、前記光学部品の前記一方の端部に対向する他方の端部を前記基準面で支持することが好ましい。
【００１４】
この構成によれば、光学部品は、一方の端部が付勢部材によって付勢され、他方の端部が支持溝に形成された基準面に支持される。これによって、光学部品は、対向する両方の端部が固定されるので、安定して光学部品用筐体に位置決めされる。
【図面の簡単な説明】
【００１５】
【図１】本実施形態のプロジェクターの概略構成を示す模式図。
【図２】本実施形態の光学部品用筐体、第２レンズアレイ、および付勢部材を示す分解斜視図。
【図３】本実施形態の下部筐体、第２レンズアレイ、および付勢部材を示す平面図。
【図４】本実施形態の光学部品用筐体、第２レンズアレイ、および付勢部材を示す断面図。
【図５】本実施形態の付勢部材および第２レンズアレイを示す斜視図。
【図６】変形例の付勢部材を示す斜視図。
【発明を実施するための形態】
【００１６】
以下、本実施形態に係るプロジェクターについて、図面を参照して説明する。
本実施形態のプロジェクターは、光源から射出された光束を画像情報に応じて変調して画像光を形成し、その画像光をスクリーン等に拡大投写する。
図１は、本実施形態のプロジェクターの概略構成を示す模式図である。
図１に示すように、プロジェクター１は、外装を構成する外装筐体２、制御部（図示省略）、光源装置３１を有する光学ユニット３、および光源装置３１や制御部に電力を供給する電源装置４等を備えている。なお、具体的な図示は省略したが、外装筐体２内には、プロジェクター１内部を冷却する冷却ファン等が配置されている。
【００１７】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００１８】
光学ユニット３は、制御部による制御の下、光源装置３１から射出された光束を光学的に処理し、画像情報に応じた画像光を形成して投写する。
図１に示すように、光学ユニット３は、光源装置３１に加え、照明光学装置３２、色分離光学装置３３、リレー光学装置３４、電気光学装置３５、投写光学装置としての投写レンズ３６、これらの光学部品３１〜３６を光路上の所定位置に配置する光学部品用筐体６、および付勢部材７（図２参照）を備える。
【００１９】
光源装置３１は、超高圧水銀ランプやメタルハライドランプ等からなる放電型の光源３１１およびリフレクター３１２等を備える。そして、光源装置３１は、光源３１１から射出された光束をリフレクター３１２によって射出方向を揃え、照明光学装置３２に向けて射出する。
【００２０】
照明光学装置３２は、第１レンズアレイ３２１、第２レンズアレイ３２２、偏光変換素子３２３、および重畳レンズ３２４を備える。
第１レンズアレイ３２１は、光軸Ｌの方向（光軸方向）から見て外形形状が略矩形に形成され、マトリックス状に配列された小レンズを有して構成されており、光源装置３１から射出された光束を複数の部分光束に分割する。第２レンズアレイ３２２は、第１レンズアレイ３２１と略同様の構成を有しており、重畳レンズ３２４とともに、部分光束を後述する液晶パネル３５２の表面に略重畳させる。偏光変換素子３２３は、第２レンズアレイ３２２から射出されたランダム偏光光を液晶パネル３５２で利用可能な略１種類の偏光光に揃える機能を有する。
【００２１】
色分離光学装置３３は、２枚のダイクロイックミラー３３１，３３２、および反射ミラー３３３を備え、照明光学装置３２から射出された光束を赤色光（以下「Ｒ光」という）、緑色光（以下「Ｇ光」という）、青色光（以下「Ｂ光」という）の３色の色光に分離する機能を有する。
【００２２】
リレー光学装置３４は、入射側レンズ３４１、リレーレンズ３４３、および反射ミラー３４２，３４４を備え、色分離光学装置３３で分離されたＲ光をＲ光用の液晶パネル３５２Ｒまで導く機能を有する。なお、光学ユニット３は、リレー光学装置３４がＲ光を導く構成としているが、これに限らず、例えば、Ｂ光を導く構成としてもよい。
【００２３】
電気光学装置３５は、入射側偏光板３５１、光変調素子としての液晶パネル３５２、射出側偏光板３５３、色合成光学装置としてクロスダイクロイックプリズム３５４を備え、色分離光学装置３３で分離された各色光を画像情報に応じて変調し、画像光を形成する。
入射側偏光板３５１は、３色の色光毎に備えられており、色分離光学装置３３で分離された各色光のうち、偏光変換素子３２３で揃えられた偏光光を透過し、その偏光光と異なる偏光光を吸収して液晶パネル３５２に射出する。
【００２４】
液晶パネル３５２は、３色の色光毎に備えられており（Ｒ光用の液晶パネルを３５２Ｒ、Ｇ光用の液晶パネルを３５２Ｇ、Ｂ光用の液晶パネルを３５２Ｂとする）、入射側偏光板３５１から射出された偏光光束の偏光方向を変調する。
射出側偏光板３５３は、入射側偏光板３５１と略同様の機能を有し、液晶パネル３５２から射出された光束のうち一定方向の偏光光を透過し、その他の光束を吸収する。
【００２５】
クロスダイクロイックプリズム３５４は、４つの直角プリズムを貼り合わせた平面視略正方形状をなし、直角プリズム同士を貼り合わせた界面には、２つの誘電体多層膜が形成されている。誘電体多層膜は、液晶パネル３５２Ｒ，３５２Ｂから射出され、射出側偏光板３５３を介して射出された色光を反射し、液晶パネル３５２Ｇから射出され、射出側偏光板３５３を介して射出された色光を透過する。このように、電気光学装置３５は、各液晶パネル３５２にて変調された各色光をクロスダイクロイックプリズム３５４が合成して画像光を形成する。
【００２６】
投写レンズ３６は、複数のレンズを組み合わせた組レンズとして構成され、電気光学装置３５にて形成された画像光をスクリーン上に拡大投写する。
【００２７】
付勢部材７は、板バネとして機能するように形成され、第１レンズアレイ３２１および第２レンズアレイ３２２を付勢して光学部品用筐体６に押圧固定する。
【００２８】
ここで、第２レンズアレイ３２２の固定構造について詳細に説明する。
第２レンズアレイ３２２は、付勢部材７によって付勢され、光学部品用筐体６の後述する基準面に位置決めされる。
先ず、光学部品用筐体６について詳細に説明する。
図２は、光学部品用筐体６、第２レンズアレイ３２２、および付勢部材７を示す分解斜視図である。なお、図２は、光学部品用筐体６を構成する上部筐体を省略した図である。また、以下では、説明の便宜上、光源装置３１から光束が射出される方向を＋Ｘ方向、投写レンズ３６から画像光が投写される方向を＋Ｙ方向、Ｘ方向およびＹ方向に直交し、図２の図面視における上を＋Ｚ方向として記載する。
【００２９】
光学部品用筐体６は、図２に示すように、Ｘ方向に長く延出して形成されており、＋Ｚ方向に開口部を有し、第１レンズアレイ３２１、第２レンズアレイ３２２等の光学部品を収納する下部筐体６１と、この開口部を閉塞する上部筐体６２（図４に上部筐体６２の一部を示す）とを備えて構成されている。
下部筐体６１は、ＢＭＣ（Bulk Molding Compound）等の高耐熱材料で形成され、外装筐体２の底面に沿って配置される底面部６１１と、底面部６１１の端縁から起立する側面部６１２とを有し、断面視略Ｕ字状に形成されている。
【００３０】
下部筐体６１の−Ｘ側端部には、光源装置３１が着脱可能に取り付けられる光源取付部６１３が形成されている。下部筐体６１の＋Ｘ側端部近傍の＋Ｙ側の側面部６１２には、周囲より＋Ｚ方向に突出するレンズ取付部６１４が設けられている。投写レンズ３６は、このレンズ取付部６１４に取り付けられる。
【００３１】
側面部６１２の内面には、Ｚ方向に沿って窪み、光学部品を位置決めするための複数の溝が形成されている。
図３は、下部筐体６１の一部、第２レンズアレイ３２２、および付勢部材７を＋Ｚ方向から見た平面図である。
図２、図３に示すように、下部筐体６１には、光源取付部６１３の＋Ｘ側近傍に第１レンズアレイ３２１が位置決めされる溝９が形成され、溝９の＋Ｘ方向に第２レンズアレイ３２２が位置決めされる溝８が形成されている。
【００３２】
具体的に、溝８は、図２、図３に示すように、＋Ｙ側の側面部６１２に形成された案内溝８１、および案内溝８１に対向し、−Ｙ側の側面部６１２に形成された支持溝８２を有している。第２レンズアレイ３２２は、側端部が案内溝８１および支持溝８２に挿入されて光学部品用筐体６に配置される。
【００３３】
案内溝８１および支持溝８２には、図３に示すように、Ｘ方向つまり光軸方向において第２レンズアレイ３２２を位置決めする基準面８Ｘがそれぞれ形成されている。基準面８Ｘは、案内溝８１および支持溝８２の＋Ｘ側の内面にＹ−Ｚ平面に沿うように形成されている。つまり、基準面８Ｘは、光軸方向に対して直交するように形成されている。
【００３４】
案内溝８１は、第２レンズアレイ３２２に加えて、付勢部材７が挿入可能に形成されている。案内溝８１は、図３に示すように、第２レンズアレイ３２２の−Ｘ側に付勢部材７が配置されるスペースを有し、基準面８Ｘに対向する内面に、付勢部材７が当接する度当て面８１Ａが形成されている。度当て面８１Ａは、図３に示すように、基準面８Ｘに対して＋Ｙ側縁部より−Ｙ側縁部が離間するように傾斜している。つまり、度当て面８１Ａは、基準面８Ｘに対する角度が鋭角となるように設定されている。
【００３５】
図４は、光学部品用筐体６、第２レンズアレイ３２２、および付勢部材７を示す断面図である。図４に示すように、案内溝８１の度当て面８１Ａには、開口部８１１が形成されている。開口部８１１は、付勢部材７の後述する係止部７５が係止される部位であり、度当て面８１Ａに対して略垂直となる方向に開口するように形成されている。
【００３６】
支持溝８２は、第２レンズアレイ３２２の−Ｙ側の端部を支持するように形成されている。
具体的に、支持溝８２には、図３に示すように、基準面８Ｘに加え、Ｙ方向において第２レンズアレイ３２２を位置決めする基準面８Ｙが形成されている。基準面８Ｙは、基準面８Ｘに対向して設けられ、基準面８Ｘに対して−Ｙ側縁部より＋Ｙ側縁部が離間するように傾斜している。つまり、基準面８Ｙは、基準面８Ｘに対する角度が鋭角となるように設定されている。詳細については後述するが、支持溝８２は、基準面８Ｘと基準面８Ｙとで第２レンズアレイ３２２の−Ｙ側の端部を支持する。
【００３７】
また、案内溝８１と支持溝８２との間の底面部６１１には、突起部が設けられており、この突起部の＋Ｚ側の面には、図３に示すように、Ｚ方向において第２レンズアレイ３２２を位置決めする基準面８Ｚが形成されている。基準面８Ｚは、Ｘ−Ｙ平面に沿うように形成されている。このように、光学部品用筐体６には、光軸方向、および光軸方向に対して直交する２方向に第２レンズアレイ３２２を位置決めする基準面８Ｘ，８Ｙ，８Ｚが形成されている。
【００３８】
溝９は、詳細な説明は省略するが、図３に示すように、溝８と同様に＋Ｙ側および−Ｙ側の側面部６１２に対向して形成された案内溝９１および支持溝９２を有しており、Ｘ方向およびＹ方向において第１レンズアレイ３２１を位置決めする基準面９Ｘ，９Ｙが形成されている。そして、案内溝９１と支持溝９２との間の底面部６１１には、Ｚ方向において第１レンズアレイ３２１を位置決めする基準面９Ｚが設けられている。このように、光学部品用筐体６には、光軸方向、および光軸方向に対して直交する２方向に第１レンズアレイ３２１を位置決めする基準面９Ｘ，９Ｙ，９Ｚが形成されている。
【００３９】
次に、付勢部材７について詳細に説明する。
付勢部材７は、板金製で一体的に形成され、板バネ状に形成されている。そして、付勢部材７は、第２レンズアレイ３２２を基準面８Ｘ，８Ｙ，８Ｚに向けて付勢する。
図５は、付勢部材７および第２レンズアレイ３２２を示す斜視図である。
付勢部材７は、図５に示すように、長尺状の板金から長手方向に屈曲されて複数の面を有している。そして、付勢部材７は、案内溝８１に挿入され、第２レンズアレイ３２２の一方の端部側である＋Ｙ側の端部側にＺ方向に沿って配置される。
【００４０】
具体的に、付勢部材７は、図５に示すように、略中央に形成される基部７１、基部７１の両側にそれぞれ設けられ、基部７１から突出する第１当接部７２，７３、第１当接部７２の端部から基部７１側に屈曲された腕部７４、および第１当接部７２の一部が基部７１と反対側に切り起こされて形成された係止部７５を有している。また、腕部７４は、第１当接部７２に隣接し、基部７１側に突出する屈曲部７４１、および屈曲部７４１の端部から延出する押さえ部７４２を有している。基部７１は、第２レンズアレイ３２２の＋Ｙ側の端部に当接する第２当接部に相当し、押さえ部７４２は、第２レンズアレイ３２２の＋Ｙ側の端部と交差する＋Ｚ側の端部（交差端部）に当接する第３当接部に相当する。
【００４１】
付勢部材７は、第２レンズアレイ３２２が配置された案内溝８１に挿入されることによって、第１当接部７２，７３が光学部品用筐体６に当接し、基部７１および押さえ部７４２が第２レンズアレイ３２２に当接して弾性変形する。そして、付勢部材７は、第２レンズアレイ３２２を＋Ｘ方向、−Ｙ方向および−Ｚ方向、つまり光軸方向、および光軸方向に対して直交する２方向に付勢して第２レンズアレイ３２２を基準面８Ｘ，８Ｙ，８Ｚに位置付ける。
【００４２】
具体的に、付勢部材７は、第１当接部７３側から案内溝８１の度当て面８１Ａと第２レンズアレイ３２２との間に挿入される。より具体的に、付勢部材７は、第１当接部７２，７３が度当て面８１Ａに当接し、基部７１が第２レンズアレイ３２２に当接するように挿入される。付勢部材７は、係止部７５が度当て面８１Ａに押圧されて第２レンズアレイ３２２側に撓んだ状態で案内溝８１に挿入される。
【００４３】
付勢部材７は、度当て面８１Ａが基準面８Ｘに対して鋭角に設定されているので、基部７１が第２レンズアレイ３２２の角部に当接し、＋Ｘ方向および−Ｙ方向に付勢する。その結果、第２レンズアレイ３２２は、図３に示すように、案内溝８１の基準面８Ｘ、および支持溝８２の基準面８Ｘ，８Ｙに当接する。なお、第２レンズアレイ３２２は、基部７１が当接する角部、および基準面８Ｙに当接する角部が面取り加工されており、破損が抑制されるように形成されている。
【００４４】
付勢部材７は、さらに挿入されると押さえ部７４２が第２レンズアレイ３２２の＋Ｚ側の端面に当接して第２レンズアレイ３２２を−Ｚ方向に付勢する。その結果、第２レンズアレイ３２２は、−Ｚ側の端面が基準面８Ｚに当接する。そして、第２レンズアレイ３２２側に撓んでいた係止部７５は、先端が開口部８１１の＋Ｚ側の縁部まで挿入されると、度当て面８１Ａから押圧されている力が解除され、第２レンズアレイ３２２の反対側に移動する。そして、付勢部材７は、第２レンズアレイ３２２を付勢することに伴う第２レンズアレイ３２２からの反力に抗して係止部７５が開口部８１１に係止され、図４に示すように、第２レンズアレイ３２２と共に光学部品用筐体６に固定される。
【００４５】
基準面８Ｙは、基準面８Ｘに対する角度が鋭角に設定されているので、第２レンズアレイ３２２は、基準面８Ｘ，８Ｙに当接する−Ｙ側端部がＸ方向およびＹ方向の移動が規制されて基準面８Ｘと基準面８Ｙとで支持されることとなる。
このように、第２レンズアレイ３２２は、一方の端部側に配置された付勢部材７に付勢され、一方の端部に対向する他方の端部が支持溝８２の基準面８Ｘおよび基準面８Ｙに支持されて基準面８Ｘ，８Ｙ，８Ｚに位置付けられる。
【００４６】
第１レンズアレイ３２１は、詳細な説明は省略するが、第２レンズアレイ３２２と同様に、溝９に配置された第１レンズアレイ３２１と案内溝９１との間に付勢部材７が挿入されることによって、Ｘ方向、Ｙ方向およびＺ方向に付勢され、基準面９Ｘ，９Ｙ，９Ｚに位置付けられる。
【００４７】
以上説明したように、本実施形態のプロジェクター１によれば、以下の効果を得ることができる。
（１）第１レンズアレイ３２１および第２レンズアレイ３２２は、一体的に形成された付勢部材７によって３方向に付勢されて基準面９Ｘ，９Ｙ，９Ｚ、および基準面８Ｘ，８Ｙ，８Ｚにそれぞれ位置決めされる。よって、少ない部品点数で第１レンズアレイ３２１および第２レンズアレイ３２２を光軸Ｌに対して精度良く配置することができるので、製造工程の簡素化を図りつつ、良好な画質の画像光を投写するプロジェクター１を提供することが可能となる。
【００４８】
（２）付勢部材７は、第２レンズアレイ３２２の一方の端部側に配置されているので、案内溝８１および支持溝８２に配置される形状に比べ、小さなサイズで形成される。これによって、付勢部材７を形成する部材の省資源化、低コスト化やプロジェクター１の軽量化が図れる。また、付勢部材７を配置するスペースを小さく形成できるので、光学ユニット３の小型化ひいてはプロジェクター１の小型化が図れる。
【００４９】
（３）付勢部材７は、板バネ状になっているので、プレス加工や曲げ加工によって容易に形成することができ、低コスト化が図れる。
【００５０】
（４）付勢部材７は、第２レンズアレイ３２２からの反力に抗して係止部７５が光学部品用筐体６に係止されることによって、第２レンズアレイ３２２と共に光学部品用筐体６に固定される。これによって、他の部材を用いることなく、第２レンズアレイ３２２および付勢部材７を光学部品用筐体６に固定できるので、さらに少ない部品点数で第２レンズアレイ３２２を位置決めすることが可能となる。また、付勢部材７および下部筐体６１以外の上部筐体６２等の他の構成要素に付勢部材７を固定するための機能や形状、例えば、付勢部材７の屈曲部７４１を押圧するために上部筐体６２の強度を高めたり、上部筐体６２に屈曲部７４１を押圧するための形状を盛り込んだりすることが不要となるので、設計自由度の向上が図れる。
【００５１】
（５）第２レンズアレイ３２２は、一方の端部が付勢部材７によって付勢され、他方の端部が支持溝８２に形成された基準面８Ｘ，８Ｙに支持される。これによって、第２レンズアレイ３２２は、対向する両方の端部が固定されるので、安定して光学部品用筐体６に位置決めされる。
【００５２】
（変形例）
なお、前記実施形態は、以下のように変更してもよい。
前記実施形態では、付勢部材７に付勢されて位置決めされる光学部品として第１レンズアレイ３２１および第２レンズアレイ３２２が用いられているが、他の光学部品、例えば偏光変換素子３２３等の光学部品を付勢部材７によって位置決めするように構成してもよい。
【００５３】
前記実施形態の係止部７５は、第１当接部７２の一部が切り起こされて形成されているが、他の部位に形成してもよい。図６は、変形例の付勢部材１７を示す斜視図である。付勢部材１７は、図６に示すように、前記実施形態の付勢部材７と同様に、基部１７１、第１当接部１７２，１７３および腕部１７４を備え、係止部１７５は、第１当接部１７３の端部から延出し、基部１７１と反対側に屈曲されるように形成されている。
【００５４】
前記実施形態の付勢部材７の係止部７５を廃止し、上部筐体６２で屈曲部７４１を押圧することによって押さえ部７４２が第２レンズアレイ３２２を−Ｚ方向に付勢するように構成してもよい。
【００５５】
前記実施形態のプロジェクター１は、光変調素子として透過型の液晶パネル３５２を用いているが、反射型液晶パネルを利用したものであってもよい。
【００５６】
前記実施形態の光源装置３１は、放電型の光源３１１を採用しているが、レーザーダイオード、ＬＥＤ（Light Emitting Diode）、有機ＥＬ（Electro Luminescence）素子、シリコン発光素子などの各種固体発光素子で構成してもよい。
【符号の説明】
【００５７】
１…プロジェクター、３…光学ユニット、６…光学部品用筐体、７，１７…付勢部材、８，９…溝、８Ｘ，８Ｙ，８Ｚ，９Ｘ，９Ｙ，９Ｚ…基準面、３１…光源装置、６１…下部筐体、６２…上部筐体、７１，１７１…基部、７２，７３，１７２，１７３…第１当接部、７５，１７５…係止部、８１，９１…案内溝、８１Ａ…度当て面、８２，９２…支持溝、３１１…光源、３２１…第１レンズアレイ、３２２…第２レンズアレイ、７４２…押さえ部、８１１…開口部、Ｌ…光軸。
【図１】
2011123232.tif 000003
【図２】
2011123232.tif 000004
【図３】
2011123232.tif 000005
【図４】
2011123232.tif 000006
【図５】
2011123232.tif 000007
【図６】
2011123232.tif 000008